(57)【特許請求の範囲】
【請求項１】
前面の少なくとも一部を覆う開閉回動可能なカバーと、該カバーの開閉を検知するカバー検知手段とを備え、該カバーの前面に、機器を動作させるためのスイッチが設けられているリモコンにおいて、
該スイッチが操作された時点から所定時間以内に該カバー検知手段によってカバー開が検知された場合、該スイッチの操作による機器の動作を非実行とするリモコンであって、
該スイッチは、閉めた状態におけるカバー前面のうち、リモコン前面の縁部近傍に配置されているか、
該スイッチは、閉めた状態におけるカバー前面のうち、リモコン前面の端部に臨んで配置されているか、又は、
該カバーはその一辺側が回動基端側となっており、該カバーの他の少なくとも１つの辺がリモコン前面の周縁に臨んでおり、該スイッチは該カバーの該他の少なくとも１つの辺に臨んで配置されており、
閉めた状態におけるカバー前面のうちリモコン前面の縁部から離隔した領域に、指等で操作されると無条件で当該スイッチの操作による機器の動作を実行する無条件型スイッチが設けられていることを特徴とするリモコン。
【請求項２】
請求項１において、該スイッチが操作されたときに機器への動作指示信号を出力し、この操作時点から前記所定時間以内に前記カバー検知手段がカバー開を検知したときには該動作の停止信号を出力することを特徴とするリモコン。
【請求項３】
請求項１において、該スイッチが操作された操作時点から前記所定時間以内に前記カバー検知手段がカバー開を検知したときには機器への動作指示信号を出力せず、該操作時点から前記所定時間が経過するまでカバー開が検知されないときには該操作による機器への動作指示信号を出力することを特徴とするリモコン。
【請求項４】
前面の少なくとも一部を覆う開閉回動可能なカバーと、該カバーの開閉を検知するカバー検知手段とを備え、該カバーの前面に、機器を動作させるためのスイッチが設けられているリモコンにおいて、
該スイッチが指等で押されたときに前記カバーが開であるときには、該スイッチの操作による機器の動作を非実行とし、
該スイッチが指等で押されたときに前記カバーが閉であり、その後、該スイッチから指等が離れたときに前記カバーが開であるときには、該スイッチの操作による機器の動作を非実行とし、
該スイッチが指等で押されたときに前記カバーが閉であり、その後、該スイッチから指等が離れたときに前記カバーが閉であるときには、該スイッチの操作による機器の動作を実行するリモコンであって、
該スイッチは、閉めた状態におけるカバー前面のうち、リモコン前面の縁部近傍に配置されているか、
該スイッチは、閉めた状態におけるカバー前面のうち、リモコン前面の端部に臨んで配置されているか、又は、
該カバーはその一辺側が回動基端側となっており、該カバーの他の少なくとも１つの辺がリモコン前面の周縁に臨んでおり、該スイッチは該カバーの該他の少なくとも１つの辺に臨んで配置されており、
閉めた状態におけるカバー前面のうちリモコン前面の縁部から離隔した領域に、指等で操作されると無条件で当該スイッチの操作による機器の動作を実行する無条件型スイッチが設けられていることを特徴とするリモコン。
【請求項５】
前面の少なくとも一部を覆う開閉回動可能なカバーと、該カバーの開閉を検知するカバー検知手段とを備え、該カバーの前面に、機器を動作させるためのスイッチが設けられているリモコンにおいて、
該スイッチが指等で押されたときに前記カバーが開であるときには、該スイッチの操作による機器の動作を非実行とし、
該スイッチが指等で押されたときに前記カバーが閉であり、その後、該スイッチから指等が離れたときに前記カバーが開であるときには、該スイッチの操作による機器の動作を非実行とし、
該スイッチが指等で押されたときに前記カバーが閉であり、その後、該スイッチから指等が離れたときに前記カバーが閉であり、且つスイッチが押された時点よりも規定時間前の時点で該カバーが開であるときは、該スイッチの操作による機器の動作を非実行とし、
該スイッチが指等で押されたときに前記カバーが閉であり、その後、該スイッチから指等が離れたときに前記カバーが閉であり、且つ該スイッチが押された時点よりも規定時間前の時点で該カバーが閉であるときには、該スイッチの操作による機器の動作を実行するリモコンであって、
該スイッチは、閉めた状態におけるカバー前面のうち、リモコン前面の縁部近傍に配置されているか、
該スイッチは、閉めた状態におけるカバー前面のうち、リモコン前面の端部に臨んで配置されているか、又は、
該カバーはその一辺側が回動基端側となっており、該カバーの他の少なくとも１つの辺がリモコン前面の周縁に臨んでおり、該スイッチは該カバーの該他の少なくとも１つの辺に臨んで配置されており、
閉めた状態におけるカバー前面のうちリモコン前面の縁部から離隔した領域に、指等で操作されると無条件で当該スイッチの操作による機器の動作を実行する無条件型スイッチが設けられていることを特徴とするリモコン。
【請求項６】
請求項５において、前記規定時間は０．１〜１秒の間から選択された時間であることを特徴とするリモコン。
【請求項７】
請求項１ないし６のいずれか１項において、前記カバーはその一辺側が回動基端側となっており、
該カバーの他の少なくとも１つの辺がリモコン前面の周縁に臨んでおり、前記スイッチは該カバーの該他の少なくとも１つの辺に臨んで配置されており、
該リモコンは上下方向の面に取り付けられる盤状であり、該カバーは、該リモコンの前面の下部に配置されており、
該カバーの下辺がリモコンの下辺に回動可能に取り付けられており、
該カバーの左右の側辺がそれぞれリモコンの左右の側縁に臨んでおり、該スイッチは、該カバーの左辺又は右辺に臨んでいることを特徴とするリモコン。
【請求項８】
請求項１ないし７のいずれか１項に記載のリモコンと、該リモコンによって制御される機器とを有するリモコンシステム。
【請求項９】
請求項８において、前記リモコンは請求項２に記載のリモコンであり、
前記機器は、該リモコンから前記スイッチによる動作指示信号を受信したときは前記所定時間が経過するまで待機し、この間に動作停止信号を受信したときには該動作指示信号による動作を実行せず、所定時間が経過するまでに動作停止信号を受信しないときには該所定時間経過後に該動作指示信号による動作を実行することを特徴とするリモコンシステム。
【請求項１０】
リモコンと、該リモコンによって制御される機器とを有するリモコンシステムであって、
該リモコンは、前面の少なくとも一部を覆う開閉回動可能なカバーと、該カバーの開閉を検知するカバー検知手段とを備え、該カバーの前面に、機器を動作させるためのスイッチが設けられており、
該スイッチが操作された時点から所定時間以内に該カバー検知手段によってカバー開が検知された場合、該スイッチの操作による機器の動作を非実行とするものであり、
該スイッチが操作されたときに機器への動作指示信号を出力し、この操作時点から該所定時間以内に該カバー検知手段がカバー開を検知したときには該動作の停止信号を出力するように構成されており、
前記機器は、該リモコンから該スイッチによる動作指示信号を受信したときは該所定時間が経過するまで待機し、この間に動作停止信号を受信したときには該動作指示信号による動作を実行せず、所定時間が経過するまでに動作停止信号を受信しないときには該所定時間経過後に該動作指示信号による動作を実行することを特徴とするリモコンシステム。
【発明の詳細な説明】
【技術分野】
【０００１】
本発明は、リモコン本体の前面の少なくとも一部を覆う開閉可能なカバーを有するリモコン及びリモコンシステムに関する。
【背景技術】
【０００２】
従来、トイレ用機器等の装置を操作するためのリモコンにおいて、使用頻度の低いスイッチ類を開閉可能なカバーで覆うと共に、使用頻度の高いスイッチ類を、リモコンのうち該カバーで覆われない常時露出前面や、該カバーの前面に配置することが行われている。
【０００３】
このようなカバー付きのリモコンにおいて、該カバーを閉めるときに、誤ってカバー前面のスイッチを押してしまうおそれがある。
【０００４】
特開平１１−７５２７２号には、リモコンの蓋（カバー）の前面に表側スイッチが設けられ、リモコン本体のうち閉止された該蓋の背後側に本体側スイッチが設けられているリモコンにおいて、該蓋が閉止されてから所定時間が経過した後（遅延時間経過後）に、表側スイッチが操作可能な状態に切り替えられることが開示されている。このように遅延時間を設けたことにより、蓋を閉止するときに誤って表側スイッチを押してしまったとしても、表側スイッチによっては機器は動作しないことになる。
【特許文献１】特開平１１−７５２７２号
【発明の開示】
【発明が解決しようとする課題】
【０００５】
本発明は、リモコンのカバーを開けるときにカバー前面のスイッチを操作しても、機器が作動しないよう構成されたリモコン及びリモコンシステムを提供することを目的とする。
【課題を解決するための手段】
【０００６】
本発明（請求項１）のリモコンにあっては、前面の少なくとも一部を覆う開閉回動可能なカバーと、該カバーの開閉を検知するカバー検知手段とを備え、該カバーの前面に、機器を動作させるためのスイッチが設けられているリモコンにおいて、該スイッチが操作された時点から所定時間以内に該カバー検知手段によってカバー開が検知された場合、該スイッチの操作による機器の動作を非実行とするリモコンであって、該スイッチは、閉めた状態におけるカバー前面のうち、リモコン前面の縁部近傍に配置されているか、該スイッチは、閉めた状態におけるカバー前面のうち、リモコン前面の端部に臨んで配置されているか、又は、該カバーはその一辺側が回動基端側となっており、該カバーの他の少なくとも１つの辺がリモコン前面の周縁に臨んでおり、該スイッチは該カバーの該他の少なくとも１つの辺に臨んで配置されており、閉めた状態におけるカバー前面のうちリモコン前面の縁部から離隔した領域に、指等で操作されると無条件で当該スイッチの操作による機器の動作を実行する無条件型スイッチが設けられていることを特徴とするものである。
【０００７】
請求項２のリモコンは、請求項１において、該スイッチが操作されたときに機器への動作指示信号を出力し、この操作時点から前記所定時間以内に前記カバー検知手段がカバー開を検知したときには該動作の停止信号を出力することを特徴とする。
【０００８】
請求項３のリモコンは、請求項１において、該スイッチが操作された操作時点から前記所定時間以内に前記カバー検知手段がカバー開を検知したときには機器への動作指示信号を出力せず、該操作時点から前記所定時間が経過するまでカバー開が検知されないときには該操作による機器への動作指示信号を出力することを特徴とする。
【０００９】
請求項４のリモコンは、前面の少なくとも一部を覆う開閉回動可能なカバーと、該カバーの開閉を検知するカバー検知手段とを備え、該カバーの前面に、機器を動作させるためのスイッチが設けられているリモコンにおいて、該スイッチが指等で押されたときに前記カバーが開であるときには、該スイッチの操作による機器の動作を非実行とし、該スイッチが指等で押されたときに前記カバーが閉であり、その後、該スイッチから指等が離れたときに前記カバーが開であるときには、該スイッチの操作による機器の動作を非実行とし、該スイッチが指等で押されたときに前記カバーが閉であり、その後、該スイッチから指等が離れたときに前記カバーが閉であるときには、該スイッチの操作による機器の動作を実行するリモコンであって、該スイッチは、閉めた状態におけるカバー前面のうち、リモコン前面の縁部近傍に配置されているか、該スイッチは、閉めた状態におけるカバー前面のうち、リモコン前面の端部に臨んで配置されているか、又は、該カバーはその一辺側が回動基端側となっており、該カバーの他の少なくとも１つの辺がリモコン前面の周縁に臨んでおり、該スイッチは該カバーの該他の少なくとも１つの辺に臨んで配置されており、閉めた状態におけるカバー前面のうちリモコン前面の縁部から離隔した領域に、指等で操作されると無条件で当該スイッチの操作による機器の動作を実行する無条件型スイッチが設けられていることを特徴とするものである。
【００１０】
請求項５のリモコンは、前面の少なくとも一部を覆う開閉回動可能なカバーと、該カバーの開閉を検知するカバー検知手段とを備え、該カバーの前面に、機器を動作させるためのスイッチが設けられているリモコンにおいて、該スイッチが指等で押されたときに前記カバーが開であるときには、該スイッチの操作による機器の動作を非実行とし、該スイッチが指等で押されたときに前記カバーが閉であり、その後、該スイッチから指等が離れたときに前記カバーが開であるときには、該スイッチの操作による機器の動作を非実行とし、該スイッチが指等で押されたときに前記カバーが閉であり、その後、該スイッチから指等が離れたときに前記カバーが閉であり、且つスイッチが押された時点よりも規定時間前の時点で該カバーが開であるときは、該スイッチの操作による機器の動作を非実行とし、該スイッチが指等で押されたときに前記カバーが閉であり、その後、該スイッチから指等が離れたときに前記カバーが閉であり、且つ該スイッチが押された時点よりも規定時間前の時点で該カバーが閉であるときには、該スイッチの操作による機器の動作を実行するリモコンであって、該スイッチは、閉めた状態におけるカバー前面のうち、リモコン前面の縁部近傍に配置されているか、該スイッチは、閉めた状態におけるカバー前面のうち、リモコン前面の端部に臨んで配置されているか、又は、該カバーはその一辺側が回動基端側となっており、該カバーの他の少なくとも１つの辺がリモコン前面の周縁に臨んでおり、該スイッチは該カバーの該他の少なくとも１つの辺に臨んで配置されており、閉めた状態におけるカバー前面のうちリモコン前面の縁部から離隔した領域に、指等で操作されると無条件で当該スイッチの操作による機器の動作を実行する無条件型スイッチが設けられていることを特徴とするものである。
【００１１】
請求項６のリモコンは、請求項５において、前記規定時間は０．１〜１秒の間から選択された時間であることを特徴とするものである。
【００１５】
請求項７のリモコンは、請求項１ないし６のいずれか１項において、前記カバーはその一辺側が回動基端側となっており、該カバーの他の少なくとも１つの辺がリモコン前面の周縁に臨んでおり、前記スイッチは該カバーの該他の少なくとも１つの辺に臨んで配置されており、該リモコンは上下方向の面に取り付けられる盤状であり、該カバーは、該リモコンの前面の下部に配置されており、該カバーの下辺がリモコンの下辺に回動可能に取り付けられており、該カバーの左右の側辺がそれぞれリモコンの左右の側縁に臨んでおり、該スイッチは、該カバーの左辺又は右辺に臨んでいることを特徴とするものである。
【００１７】
請求項８のリモコンシステムは、請求項１ないし７のいずれか１項に記載のリモコンと、該リモコンによって制御される機器とを有するものである。
【００１８】
請求項９のリモコンシステムは、請求項８において、前記リモコンは請求項２に記載のリモコンであり、前記機器は、該リモコンから前記スイッチによる動作指示信号を受信したときは前記所定時間が経過するまで待機し、この間に動作停止信号を受信したときには該動作指示信号による動作を実行せず、所定時間が経過するまでに動作停止信号を受信しないときには該所定時間経過後に該動作指示信号による動作を実行することを特徴とするものである。  
請求項１０のリモコンシステムは、リモコンと、該リモコンによって制御される機器とを有するリモコンシステムであって、該リモコンは、前面の少なくとも一部を覆う開閉回動可能なカバーと、該カバーの開閉を検知するカバー検知手段とを備え、該カバーの前面に、機器を動作させるためのスイッチが設けられており、該スイッチが操作された時点から所定時間以内に該カバー検知手段によってカバー開が検知された場合、該スイッチの操作による機器の動作を非実行とするものであり、該スイッチが操作されたときに機器への動作指示信号を出力し、この操作時点から該所定時間以内に該カバー検知手段がカバー開を検知したときには該動作の停止信号を出力するように構成されており、前記機器は、該リモコンから該スイッチによる動作指示信号を受信したときは該所定時間が経過するまで待機し、この間に動作停止信号を受信したときには該動作指示信号による動作を実行せず、所定時間が経過するまでに動作停止信号を受信しないときには該所定時間経過後に該動作指示信号による動作を実行することを特徴とするものである。
【発明の効果】
【００１９】
請求項１のリモコンにあっては、カバー前面のスイッチが操作された時点から所定時間以内にカバー検知手段によってカバー開が検知された場合、該スイッチの操作による機器の動作を非実行とする。このため、カバーを開けるときにカバー前面のスイッチを操作しても、機器は動作しない。
【００２０】
なお、本明細書において、「機器が動作する」とは、停止中の機器が始動すること、作動中の機器が停止すること、作動中の機器の作動又は設定条件が変更されること、停止中の機器の作動又は設定条件が変更されることのいずれをも包含するものである。
【００２１】
請求項２のリモコンでは、カバー前面のスイッチが操作されると、まず機器へ動作指示信号を出力するが、該スイッチの操作時点から所定時間以内にカバー検知手段がカバー開を検知したときには動作の停止信号を出力する。この動作停止信号により、機器の動作が停止する。この所定時間を短く設定しておくことにより、機器は実質的には動作しないものとなる。
【００２２】
請求項３のリモコンでは、カバー前面のスイッチの操作時点から所定時間経過するまで動作指示信号の出力を猶予し、この所定時間以内にカバー検知手段がカバー開を検知しないときには機器への動作指示信号を出力する。一方、この所定時間内にカバー検知手段がカバー開を検知したときには機器への動作指示信号を出力しない。そのため、カバー開時にカバー前面のスイッチに触れても、機器は全く動作しない。
【００２３】
請求項４〜６のリモコンは、カバー前面のスイッチが指等（人の指又は、手で持っているスイッチを押すことができる物体）で押され次いで該スイッチから指等が離れた時点で、次に説明するように所定の条件を満たしている場合に動作指示信号を出力する。
【００２４】
請求項４では、次の（１）〜（３）の通り動作の実行、非実行がなされる。
（１）カバーが開いてるときにカバー前面のスイッチを押しても動作は実行されない。従って開状態のカバーを閉める際にカバー前面のスイッチを押したとしても、該スイッチの操作による動作は実行されない。
（２）カバーが閉まっているときにカバー前面のスイッチを押した場合でも、該スイッチから指等を離したときにカバーが開であれば動作は実行されない。従って、カバーを開ける際に指等でカバー前面のスイッチを押しても該スイッチ操作による動作は実行されない。
（３）カバー前面のスイッチを押したとき及び該スイッチから指等を離したときのいずれでもカバーが閉まっている場合には、このスイッチによる機器動作を実行する。
【００２５】
請求項５では、上記（１），（２）と同じく、
（１）カバーが開いているときにカバー前面のスイッチを押しても動作は実行されず、
（２）カバーが閉まっているときにカバー前面のスイッチを押しても、該スイッチから指等を離したときにカバーが開であれば動作は実行されない。
【００２６】
請求項５では、請求項４における（３）の「カバー前面のスイッチを押したとき及び該スイッチから指等を離したときのいずれでもカバーが閉まっている場合」を、カバー前面のスイッチを指等で押すよりも規定時間前の時点（以下、規定時ということがある）のカバーの開閉状態に応じて次の（３ａ），（３ｂ）のように区別して、動作の実行、非実行を行う。
（３ａ）規定時にカバーが開であれば、カバー前面のスイッチの操作による動作を非実行とする。
（３ｂ）規定時にカバーが閉であれば、カバー前面のスイッチの操作による動作を実行する。
【００２７】
請求項６の通り、この規定時間は、０．１〜１秒の間から選定されることが好ましい。
【００２８】
本発明では、カバー前面のうちリモコン前面の縁部近傍もしくは端部に臨んでスイッチが配置されている場合、意図せずに指等がスイッチに接触し易いが、この意図しない接触によっては機器は動作しない。
【００２９】
本発明では、カバーはその一辺側が回動基端側となっており、該カバーの他の少なくとも１つの辺がリモコン前面の周縁に臨んでおり、スイッチは該カバーのこの辺に臨んで配置された構成とした場合、カバーの辺のうち、このリモコン前面の周縁に臨む辺は、カバーを開ける際に指を掛けることが多く、指などがスイッチに意図せずに接触し易いが、この接触によっては機器は動作しない。
【００３０】
請求項７のリモコンのように、リモコンは上下方向の面に取り付けられる盤状であり、カバーは、該リモコンの前面の下部に配置されており、該カバーの下辺がリモコンの下辺に回動可能に取り付けられており、該カバーの左右の側辺がそれぞれリモコンの左右の側縁に臨んでおり、前記スイッチは、該カバーの左辺又は右辺に臨んでいてもよい。
【００３１】
このカバーの左辺又は右辺に臨むスイッチも、上記と同様の理由で、カバーを開けるときに指などが意図せずにスイッチに接触し易いが、この接触によっては機器は動作しない。
【００３２】
本発明（請求項８）のリモコンシステムにおけるリモコンによる機器の制御は請求項１〜７の場合と同じであり、同様の作用効果が奏される。
【００３３】
請求項９，１０のリモコンシステムにあっては、機器が該リモコンからスイッチによる動作指示信号を受信したときは、所定時間が経過するまで待機し、この間に動作停止信号を受信したときには該動作指示信号による動作を実行しないので、カバーを開けるときにスイッチを操作しても機器は全く動作しない。
【発明を実施するための最良の形態】
【００３４】
以下、図面を参照して本発明の好適な形態について説明する。第１図は実施の形態に用いられるリモコンが設置されたトイレルームの斜視図、第２図（ａ）はリモコンの平面図、第２図（ｂ）はリモコンの正面図、第３図はリモコンのカバーを開けた状態の正面図である。
【００３５】
第１図に示すように、洋風水洗式便器にトイレ用機器が組み込まれている。この洋風水洗式便器では洋風便器本体１の後部に便座ボックス２が設置され、該便座ボックス２には、便座３及び便蓋４が回動可能に取り付けられている。便座３には着座センサ及び便座用ヒータが設けられている。
【００３６】
この便座ボックス２の内部には、便座着座者の臀部を温水で洗浄するための温水洗浄装置（図示略）の洗浄ノズル５と、洋風便器本体１を使用する者を検知するための人体検知センサ６と、音声装置（図示略）のスピーカ７が設けられている。便座ボックス２の側面には手動式フラッシュハンドル８が設けられている。
【００３７】
図示は省略するが、便座ボックス２内には、臀部乾燥用温風ファン、脱臭装置、足元及び便鉢内を照らす照明装置、トイレルーム内にプラスイオンとマイナスイオンとを放出するイオン発生器、トイレルーム内を暖房する暖房装置等が設けられている。この便座ボックス２は、昇降装置（図示略）によって洋風便器本体１の上面から浮上可能とされている。
【００３８】
洋風便器本体１のトラップ部の外周面には、凍結防止用ヒータ（図示略）が設けられている。
【００３９】
トイレルームの鉛直な壁面にリモコン２０が設置されている。このリモコン２０は、この壁面に取り付けた状態において正面視した場合、左右方向に長い長方形の盤状である。
【００４０】
このリモコン２０の前面下部に設けられたカバー２１の前面には、第２図の通り、おしり洗浄用のおしりスイッチ（パワフルスイッチ）２２及びマイルドスイッチ２３、ビデスイッチ２４、濡れた臀部に温風を吹き付けて乾燥させるための乾燥スイッチ２５、洗浄及び乾燥停止用の止スイッチ２６、洗浄強さ調節スイッチ２７、洗浄位置調節スイッチ２８、ターボ脱臭スイッチ２９、マッサージスイッチ３０及び電源スイッチ３１が設けられている。
【００４１】
リモコン２０の内部には、各スイッチからの信号を受けて洋風便器本体１に赤外線又は電波によって制御信号を出力するように、マイクロコンピュータ及び発信回路等が設置されている。
【００４２】
リモコン２０のおしりスイッチ（パワフルスイッチ）２２を押すと、洗浄ノズル５から比較的高流速にて温水が噴出し、臀部が力強く洗浄される。マイルドスイッチ２３を押すと、洗浄ノズル５から比較的低流速にて温水が噴出し、臀部がソフトに洗浄される。これらおしりスイッチ２２及びマイルドスイッチ２３は、もう１回押すと洗浄ノズル５が前後に動いて広い範囲が洗浄され（ワイルドモード）、さらにもう１回押すとこの前後移動が停止する。
【００４３】
ビデスイッチ２４についても、該ビデスイッチ２４を１回押すと洗浄ノズル５から温水が噴出し、もう１回押すと洗浄ノズル５が前後に動き（ワイルドモード）、さらにもう１回押すとノズル５の前後移動がさらに大きくなり（スーパーモード）、さらにもう１回押すとこの前後移動が停止する。
【００４４】
おしり洗浄、マイルド洗浄及びビデ洗浄の洗浄強さは、洗浄強さ調節スイッチ２７の操作によって調節可能である。また、おしり洗浄、マイルド洗浄及びビデ洗浄の際における洗浄ノズル５の前後位置は、洗浄位置調節スイッチ２８の操作によって調節可能である。
【００４５】
乾燥スイッチ２５は、これを１回押すと比較的高温の温風が吹き出し、もう１回押すと中温の温風となり、さらにもう１回押すと比較的低温の温風となり、以下同様に「高」、「中」、「低」と切り替わる。止スイッチ２６を押すと、上述の洗浄や乾燥（温風吹出）動作が停止する。なお、この実施の形態では、洗浄は開始２分後に自動的に停止し、乾燥は開始４分後に自動的に停止するセルフストップ機構が採用されている。
【００４６】
ターボ脱臭スイッチ２９を押すと、脱臭装置が作動して便鉢内の臭気を脱臭し、もう１回押すと脱臭装置が停止する。
【００４７】
マイルド洗浄時及びビデ洗浄時にマッサージスイッチ３０を押すと、洗浄ノズル５から高流速の温水と低流速の温水が交互に噴出する。
【００４８】
電源スイッチ３１を押すと、便器本体側の電源の入／切が切り替わる。また、便器本体１側の電源が切の場合には、リモコンから電源の入／切以外の操作信号は発信しないようになっている。
【００４９】
このカバー２１は、リモコン２０の前面の下半部を占める大きさを有した左右方向に長い長方形状である。カバー２１は、ヒンジ部５５，５６によってリモコン２０の本体側に対し回動自在に取り付けられている。この実施の形態では、ヒンジ部５５，５６は、リモコン本体の下辺部と、カバー２１を閉めた状態のカバー２１の下辺部とを回動可能に連結している。カバー２１は、リモコン本体の下部前面に重なった第１図及び第２図（ａ）、（ｂ）の閉止状態と、リモコン本体の下辺から下方へ垂下した第３図の開放状態とをとるように上下方向にほぼ１８０°回転可能である。
【００５０】
図示は省略するが、カバー２１を閉めた状態に軽度に係止するように、マグネットやスナップロック機構を利用した閉止用係止機構が設けられている。
【００５１】
カバー２１を閉めた状態では、カバー２１の左右の側辺は、リモコン本体の左右の側辺とほぼ重なり合う。
【００５２】
前記スイッチ２６，２２，２３，２４は、閉止状態のカバー２１の前面の上辺に沿ってこの順に配列されている。止スイッチ２６とビデスイッチ２４は、カバー２１の左端側と右端側に配置されている。止スイッチ２６の左端は、カバー２１の左辺に臨んでいる。ビデスイッチ２４の右端は、カバー２１の右辺に臨んでいる。
【００５３】
人がカバー２１を開けようとする場合、手の指をカバー２１の左側面又は右側面の上部に当てて手前へ引くことになるが、各スイッチ２６，２４がカバー２１の左辺又は右辺に臨んでいるため、指がスイッチ２４又は２６に当る。そのため、カバー２１を開けようとするときに、意図せずにスイッチ２４又は２６が操作されることがある。この実施の形態は、後述の通り、このようなカバー２１の開時における意図しないスイッチ２４，２６の操作によってはトイレ用機器が動作しないように構成されている。
【００５４】
即ち、この実施の形態では、止スイッチ２６及びビデスイッチ２４がカバー２１の開閉条件に従って動作指示信号を出力する条件型スイッチであり、その他のスイッチは、カバー開時を含めてどの時点でも、指等が接触すれば無条件で動作指示信号を出力させる無条件型スイッチである。
【００５５】
リモコン本体の前面の上部中央には、液晶パネル等よりなる表示画面４０が設けられている。この表示画面４０には、時刻表示部４１、リモコン２０からの信号光が便座ボックス２に向けて出力されていることを示すための表示部４２、洗浄ノズル５から噴出する温水の水勢の表示部４３、乾燥用温風の温度表示部４４、節電モードとなっているか否かを表示する節電表示部４５、暖房装置の入／切を表示する暖房表示部４６、凍結防止用ヒータの入／切を表示する凍結防止表示部４７、リモコン２０の電池残量を表示する電池残量表示部４８が設けられている。
【００５６】
リモコン２０の上部には、便座３を電動装置によって開閉させるための便座開閉スイッチ５０、便器本体１を大洗浄するための大フラッシュスイッチ５１及び小洗浄するための小フラッシュスイッチ５２が設けられている。
【００５７】
カバー２１を開けて操作するスイッチについて第３図を参照して説明する。なお、前述の通り、このカバー２１は、左右両側に設けられたヒンジ部５５，５６によりリモコン２０の本体側に対し上下方向回動可能に取り付けられている。カバー２１の前面の各スイッチ２２〜３１からの信号は、ハーネス５７を介してリモコン内部の回路に送られる。
【００５８】
カバー２１を開けることにより露出するスイッチエリア６０の左端側は、音声装置の操作エリアとなっている。この操作エリアの中央には、液晶パネル等よりなる表示画面６１が設けられている。この表示画面６１よりも上側には、音声再生スイッチ６２、スキップスイッチ６３及びリバーススイッチ６４が設けられている。この表示画面６１よりも下側には、音量スイッチ６５及びモード切替スイッチ６６が設けられている。
【００５９】
このモード切替スイッチ６６を押すと、音声装置が記憶している複数の曲のうち１曲を繰り返し再生する１曲リピートモード、全曲を順番に繰り返し再生する全曲リピートモード、全曲をランダムに再生するランダムモード、朝及び夜の時間帯に朝専用曲及び夜専用曲を再生する専用曲モード等のモード切替が行われる。前記人体検知センサが使用者を検知すると、各モードに従ってスピーカ７から曲が再生され、使用者を検知しなくなってから所定時間経過後に、曲の再生が停止する。
【００６０】
音声装置の操作エリアの右側には、時刻合わせ用の「時」スイッチ７０及び「分」スイッチ７１、温水洗浄装置の温水温度設定スイッチ７２、便座温度設定スイッチ７３、温水温度及び便座温度の設定条件を表示する液晶等よりなる表示画面７４が設けられている。本実施の形態では、これら温水温度及び便座温度は５段階に設定可能となっている。
【００６１】
スイッチエリア６０の右半側の上部には、ノズル掃除スイッチ８０、足許及び便鉢内の照明の入／切スイッチ８１、本体掃除スイッチ８２、前記イオン発生器を作動させる快適イオンスイッチ８３、呼び出しスイッチ８４が設けられている。
【００６２】
なお、ノズル掃除スイッチ８０を押すと、洗浄ノズル５がその収納部内に収納されたまま約５秒間該ノズル５に水が注ぎかけられ、ノズル５が水洗いされる。本体掃除スイッチ８２は、これを１回押すと昇降装置が便座ボックス２を浮上させ、もう１回押すと昇降装置が便座ボックス２を元の位置に下降させる。
【００６３】
スイッチエリア６０の右半側の下部には、ワンタッチ節電スイッチ９０、スーパー節電スイッチ９１、自動洗浄スイッチ９２、フルオート便座スイッチ９３、前記暖房装置を作動させる暖房温度スイッチ９４、冷込防止スイッチ９５が設けられている。また、スイッチエリア６０の右半側の中央には、これらスイッチ９０〜９３，９５の入／切及びスイッチ９４の切／低温／高温を表示するための、液晶等よりなる表示画面９６が設けられている。
【００６４】
ワンタッチ節電スイッチ９０を押すと、押してから８時間の間、温水用ヒータ及び便座用ヒータが切電された後、給電されて設定温度に戻る。
【００６５】
スーパー節電スイッチ９１を押すと、便蓋４が閉じている間は便座用ヒータ及び温水用ヒータが省エネ温度とされる。
【００６６】
自動洗浄スイッチ９２を押して自動洗浄モードにすると、着座センサが着座を検知した後に離座を検知したときに、便鉢内が自動的に洗浄される。
【００６７】
フルオート便座スイッチ９３を押してフルオート便座モードとすると、人体検知センサ６が人体を感知したときに便蓋４が自動的に開き、人体を感知しなくなると便蓋４が自動的に閉まる。
【００６８】
冷込防止スイッチ９５を押すと、トイレルーム内の室温が４℃以下になったときに前記暖房装置を作動させて、室温を５℃に保つ。
【００６９】
カバー２１の開閉を検知するために、カバー２１の右側にマグネット９７が内蔵されると共にスイッチエリア６０の右側にリードスイッチ９８が内蔵されている。
【００７０】
第２図（ａ）の通り、リモコン２０の上面に、上記の表面側スイッチ類（スイッチ２２〜３１，５０〜５２）及び背後側スイッチ類（スイッチ６２〜６６，７０〜７３，８０〜８４，９０〜９５）の操作信号を便座ボックス２に送信する送信部９９が設けられている。
【００７１】
リモコン２０内には、これらスイッチの操作に応じて送信部９９から赤外線信号を出力させるための送信用回路のほか、表示画面４０，６１，７４，９６の表示を制御する制御回路（図示略）が設けられている。
【００７２】
このように構成されたリモコン２０を備えたトイレ設備にあっては、止スイッチ２６及びビデスイッチ２４以外の各スイッチを操作すると、それに対応した動作指示信号が送信部９９から出力され、トイレ用機器はこの信号に従って動作を行う。
【００７３】
止スイッチ２６及びビデスイッチ２４に関しては、前記の通り、カバー２１を開けるときに意図せずに止スイッチ２６又はビデスイッチ２４に触れることがあるので、これらのスイッチ２６又は２４が操作された場合、次の第１ないし第６の動作例のように動作し、意図しないスイッチ操作によってはトイレ用機器が実質的に動作しないよう構成されている。
【００７４】
なお、以下の第１〜第３動作例は、ビデスイッチ２４に指が触れた場合に関するものであり、第４〜第６動作例は止スイッチ２６に指が触れた場合に関するものである。
【００７５】
［第１の動作例（請求項２の動作例。第４図参照）］  
本動作例においては、ビデスイッチ２４を操作すべくスイッチを押した意図的押し操作、及び、カバー２１を開けるときに指がビデスイッチ２４を偶然押した偶然押し操作のいずれの場合でも、ビデスイッチ２４が押されたときには、リモコン２０が便座ボックス２に向けてビデ洗浄の動作指示信号を出力する。ビデスイッチ２４が指で押された時点から所定時間以内にリードスイッチ９８がカバー２１の開を検知したときには、リモコン２０は該ビデ洗浄の停止信号を自動的に出力する。この所定時間内にカバー２１の開が検知されないときには、この停止信号は自動的には出力されない。カバー２１を開けるときに指でビデスイッチ２４を押した偶然押し操作の場合には、指で押した時点から所定時間内にカバー２１が開となるので、ビデ洗浄の停止信号が発信される。
【００７６】
上記所定時間は、１〜２秒程度であることが好ましい。
【００７７】
便座ボックス２側にあっては、リモコン２０からビデ洗浄指示信号を受信すると、ビデ洗浄動作を開始する。
【００７８】
ビデスイッチ２４の操作がカバー２１を開けるときに指で偶然押した偶然押し操作による場合には、上記の通り、この動作開始直後にリモコン２０から停止信号が送られてくるので、ビデ洗浄動作は直ちに停止され、ビデ洗浄装置は実質的には始動しない。
【００７９】
ビデスイッチ２４の操作が、ビデ洗浄を行うという意図的なものであった場合には、ビデスイッチ２４操作の直後（前記所定時間内）にカバー２１が開けられることはないから、カバー開に伴う自動的な停止信号はリモコン２０から出力されない。このため、意図してビデスイッチ２４を操作したときには、平常通り、ビデ洗浄動作が実行される。
【００８０】
［第２の動作例（請求項３の動作例。第５図参照）］  
本動作例においては、ビデスイッチ２４を意図的に操作する意図的押し操作、及び、カバー２１を開けるときに指がビデスイッチ２４を偶然押した偶然押し操作のいずれの場合でも、ビデスイッチ２４が押されたときは、ビデスイッチ２４が指で押された時点から所定時間が経過するまでの間、リモコン２０は便座ボックス２に向けてビデ洗浄の動作指示信号を出力することを保留する。この所定時間以内にリードスイッチ９８がカバー２１の開を検知したときには、偶然押し操作であるので、リモコン２０はこの動作指示信号の出力の中止を決定する。この所定時間内にカバー２１の開が検知されないときには、意図的押し操作であるので、所定時間が経過した時点でリモコン２０がトイレ用機器に向けてこの動作指示信号を出力する。
【００８１】
上記所定時間は、第１動作例のときの所定時間と同程度であることが好ましい。
【００８２】
便座ボックス２側にあっては、リモコン２０からビデ洗浄指示信号を受信すると、ビデ洗浄動作を開始する。
【００８３】
ビデスイッチ２４の操作がカバー２１を開けるときに押された偶然押し操作のものである場合には、リモコン２０が動作指示信号を出力しないので、ビデ洗浄装置は全く動作しない。
【００８４】
［第３の動作例（請求項９，１０の動作例。第４図参照）］  
本動作例においては、リモコン２０の動作は第１動作例と同様であるが、便座ボックス２側で一時待機が行われる点が第１動作例と異なる。
【００８５】
この第３動作例でも、ビデスイッチ２４の意図的押し操作の場合、及び偶然押し操作のいずれの場合でも、ビデスイッチ２４が押されたときに、リモコン２０が便座ボックス２に向けてビデ洗浄の動作指示信号を出力する。この操作時点から所定時間以内にリードスイッチ９８がカバー２１の開を検知したときには、リモコン２０は該ビデ洗浄の停止信号を自動的に出力する。この所定時間内にカバー２１の開が検知されないときには、この停止信号は自動的には出力されない。
【００８６】
上記所定時間は、第１動作例の場合と同様である。
【００８７】
便座ボックス２側にあっては、リモコン２０からビデ洗浄指示信号を受信すると、受信時点から設定時間が経過するまでの間は、ビデ洗浄動作を開始せず、待機する。この設定時間以内に便座ボックス２が上記停止信号を受信したときには、便器本体１はビデ洗浄動作の実行を行わない。この設定時間内に停止信号が受信されないときに、便器本体１がビデ洗浄動作を開始する。
【００８８】
この設定時間としては、１〜２秒程度が好適である。
【００８９】
ビデスイッチ２４の操作がカバー２１を開けるときに指で押された偶然押し操作のものである場合には、便座ボックス２側でビデ洗浄動作の開始を一時的に保留している間（設定時間内）に停止信号を受信するので、ビデ洗浄装置は全く動作しない。
【００９０】
ビデスイッチ２４の操作が、ビデ洗浄を行うという意図的なものであった場合には、ビデスイッチ２４操作の直後（前記所定時間内）にカバー２１が開けられることはないから、カバー開に伴う自動的な停止信号はリモコン２０から出力されない。このため、意図してビデスイッチ２４を操作したときには、ビデ洗浄指示信号の受信時点から上記設定時間の経過後にビデ洗浄動作が実行される。
【００９１】
［第４の動作例（請求項２の動作例。第６図参照）］  
本動作例においては、止スイッチ２６を操作する意図的押し操作時、及びカバー２１を開けるときに指が止スイッチ２６を押した偶然押し操作のいずれの場合でも、止スイッチ２６が押された場合、リモコン２０が便座ボックス２に向けて、洗浄及び乾燥の停止を指示する止指示信号を出力する。この操作時点又は止スイッチ２６が押された時点から所定時間以内にリードスイッチ９８がカバー２１の開を検知したときには、リモコン２０は該洗浄・乾燥動作の停止をキャンセルするキャンセル信号を自動的に出力する。すなわち、カバー２１を開けるときに指で止スイッチ２６が押された偶然押し操作の場合には、指で押された時点から所定時間内にカバー２１が開となるので、キャンセル信号が発信される。
【００９２】
一方、この所定時間内にカバー２１の開が検知されないときには、意図的押し操作であるので、このキャンセル信号は出力されない。
【００９３】
上記所定時間は、１〜２秒程度であることが好ましい。
【００９４】
便座ボックス２側にあっては、リモコン２０から止指示信号を受信すると、おしり洗浄、ビデ洗浄及び乾燥のいずれかを実行している場合には、その実行を停止する。
【００９５】
止スイッチ２６の操作がカバー２１を開けるときに指で押した偶然押し操作時のものである場合には、この洗浄・乾燥動作の停止直後にリモコン２０からキャンセル信号が送られてくるので、上記洗浄・乾燥動作の停止が直ちにキャンセルされ、洗浄・乾燥動作を継続する。
【００９６】
止スイッチ２６の操作が、洗浄・乾燥動作の停止を行うという意図的なものであった場合には、止スイッチ２６操作の直後（前記所定時間内）にカバー２１が開けられることはないから、カバー開に伴う自動的なキャンセル信号はリモコン２０から出力されない。このため、意図して止スイッチ２６を操作したときには、平常通り、洗浄・乾燥動作の停止動作が実行される。
【００９７】
［第５の動作例（請求項３の動作例。第７図参照）］  
本動作例においては、偶然押し操作及び意図的押し操作のいずれの場合でも、止スイッチ２６が押された場合、この操作時点又は止スイッチ２６を指で押された時点から所定時間が経過するまでの間、リモコン２０は便座ボックス２に向けて洗浄及び乾燥の停止を指示する止指示信号を出力することを保留する。この所定時間以内にリードスイッチ９８がカバー２１の開を検知したときには、偶然押し操作であるので、リモコン２０はこの止指示信号の出力の中止を決定する。この所定時間内にカバー２１の開が検知されないときには、意図的押し操作であるので、リモコン２０がトイレ用機器に向けてこの止指示信号を出力する。
【００９８】
上記所定時間は、第４動作例のときの所定時間と同程度であることが好ましい。
【００９９】
便座ボックス２にあっては、リモコン２０から止指示信号を受信すると、洗浄・乾燥動作の停止を行う。
【０１００】
止スイッチ２６の操作がカバー２１を開けるときに指で押された偶然押し操作のものである場合には、リモコン２０が止指示信号を出力しないので、洗浄・乾燥動作は継続して実行される。
【０１０１】
［第６の動作例（請求項９，１０のリモコンシステムの動作例。第６図）］  
本動作例においては、リモコン２０の動作は第４動作例と同様である。即ち、偶然押し操作及び意図的押し操作のいずれの場合でも、止スイッチ２６が押されたときに、リモコン２０が便座ボックス２に向けて、洗浄及び乾燥の停止を指示する止指示信号を出力する。この操作時点から所定時間以内にリードスイッチ９８がカバー２１の開を検知したときには、偶然押し操作であるから、リモコン２０は該洗浄・乾燥動作の停止をキャンセルするキャンセル信号を自動的に出力する。この所定時間内にカバー２１の開が検知されないときには、意図的押し操作であるから、このキャンセル信号は自動的には出力されない。
【０１０２】
上記所定時間は、第４動作例の場合と同様である。
【０１０３】
便座ボックス２側にあっては、リモコン２０から止指示信号を受信すると、受信時点から設定時間が経過するまでの間は、洗浄・乾燥動作の停止を行わず、待機する。この設定時間以内に便座ボックス２が上記キャンセル信号を受信したときには、便座ボックス２側では、洗浄・乾燥動作の停止を実行しない（即ち、洗浄・乾燥動作を継続する。）。この設定時間内にキャンセル信号が受信されないときには、洗浄・乾燥動作を停止する。
【０１０４】
この設定時間としては、１〜２秒程度が好適である。
【０１０５】
止スイッチ２６の操作がカバー２１を開けるときに指が触れた偶然押し操作である場合には、便座ボックス２は、洗浄・乾燥動作の停止を一時的に保留している間（設定時間内）にキャンセル信号を受信するので、洗浄・乾燥動作が継続される。
【０１０６】
止スイッチ２６の操作が、洗浄・乾燥動作を停止するという意図的なものであった場合には、止スイッチ２６操作の直後（前記所定時間内）にカバー２１が開けられることはないから、カバー開に伴う自動的なキャンセル信号はリモコン２０から出力されない。このため、意図して止スイッチ２６を操作したときには、止指示信号の受信時点から上記設定時間の経過後に、洗浄・乾燥動作が停止する。
【０１０７】
［第７の動作例（請求項４の動作例。第８図）］
以下の第７及び第８の動作例では、基本的には各スイッチを指等で押し、その後スイッチから指等を離したときに動作信号を出力するよう構成されている。さらに詳しくは、このスイッチを押す動作がスイッチに意図的に（即ち、スイッチ操作すべく）行われたものであるか、カバー開閉時にスイッチに触れたことによるものであるかをカバー２１の開閉状態に応じて判断し、意図的にスイッチを押したものであると判断されるときには動作信号を出力し、カバー２１の開閉の際に単に指等がスイッチに触れたものであるときには動作信号を出力しないように構成している。
【０１０８】
第７の動作例では、第８図の通り、ビデスイッチ２４が押されると、ステップ１１０からステップ１２０に移り、現時点（ビデスイッチ２４が押された時点）でカバー２１が開、閉いずれとなっているか判断する。カバー２１が開となっている場合には、偶然押し操作であるので、ビデ動作（洗浄）信号は出力しない。カバー２１が閉となっているときには、ステップ１２０からステップ１３０に移り、ビデスイッチ２４から指等が離れるまで待機する。指等がビデスイッチ２４から離れたならば、ステップ１４０に移り、現時点（指等がビデスイッチ２４から離れた時点）でのカバー２１の開、閉状態を判断する。カバー２１が開であれば、偶然押し操作であるので、ビデ動作信号は出力しない。カバー２１が閉であれば、意図的押し操作であるので、ステップ１５０に進み、ビデ動作信号を出力する。
【０１０９】
このように、カバー２１が閉まっているときにビデスイッチ２４が押され、そしてこのビデスイッチ２４から指等を離した時点でもカバー２１が閉まっている意図的押し操作の場合に限り、リモコン２０がビデ動作信号を出力する。
【０１１０】
ビデスイッチ２４が押された時点でカバー２１が開いている場合、及び、ビデスイッチ２４から指等が離れた時点でカバー２１が開いている場合は、偶然押し操作であるので、リモコン２０はビデ動作信号を出力しない。
【０１１１】
［第８の動作例（請求項５，６の動作例。第９図）］
この第８の動作例では、第７の動作例において、さらに、ビデスイッチ２４を押す直前の規定時（この例では、ビデスイッチ２４がＯＮとなった時点よりも０．８秒前）におけるカバー２１の開閉状態を加味して動作信号出力の制御を行っている。
【０１１２】
この実施の形態では、リモコンの制御回路に８ビットのシフトレジスタが組み込まれており、０．１秒毎に、その時点でのカバー２１の開又は閉状態を、カバー２１が開のときは０として、カバー２１が閉のときは１として入力するようにしている。従ってこのシフトレジスタの第１のビットには０．１秒前のカバー２１の開又は閉状態が記憶され、第２ないし第７のビットには、それぞれ０．２ないし０．７秒前のカバー２１の開又は閉状態が記憶され、第８のビットには０．８秒前のカバー２１の開又は閉状態が記憶されている。
【０１１３】
第９図の通り、ビデスイッチ２４が押されると、ステップ１１０からステップ１１１に移り、フラグＦに０．８秒前のカバー２１の開又は閉状態を設定する。次いでステップ１２０に移り、現時点（ビデスイッチ２４が押された時点）でカバー２１が開、閉いずれとなっているか判断する。カバー２１が開となっている場合には、偶然押し操作であるので、ビデ動作（洗浄）信号は出力しない。カバー２１が閉となっているときには、ステップ１２０からステップ１３０に移り、ビデスイッチ２４から指等が離れるまで待機する。指等がビデスイッチ２４から離れたならば、ステップ１４０に移り、現時点（指等がビデスイッチ２４から離れた時点）でのカバー２１の開、閉状態を判断する。カバー２１が開であれば、偶然押し操作であるので、ビデ動作信号は出力しない。カバー２１が閉であれば、ステップ１４１に進み、フラグＦが０か１かを判断し、０すなわちビデスイッチＯＮ時点より０．８秒前にカバー２１が開であったならばビデ動作信号を出力しない。Ｆ＝１すなわちビデスイッチＯＮ時点より０．８秒前にカバー２１が閉であったならばステップ１５０に進み、ビデ動作信号を出力する。
【０１１４】
このように、カバー２１が閉まっているときにビデスイッチ２４が押され、そしてこのビデスイッチ２４から指等を離した時点でもカバー２１が閉まっており、且つビデスイッチ２４が押されるよりも０．８秒前の時点でカバー２１が閉まっている場合に限りリモコン２０がビデ動作信号を出力する。
【０１１５】
ビデスイッチが押された時点でカバー２１が開いている場合、及び、ビデスイッチ２４から指等が離れた時点でカバー２１が開いている場合並びに、ビデスイッチ２４が押されるよりも０．８秒前の時点でカバー２１が開いている場合は、リモコン２０はビデ動作信号を出力しない。
【０１１６】
この第８の動作例では、ビデスイッチ２４が押された時点より０．８秒前の時点を規準時としているが、この規準時は０．８秒前に限定されるものではなく、０．１〜１秒の間から選択されればよい。
【０１１７】
また、第７及び第８の動作例ではビデスイッチ２４を例にとっているが、止スイッチ２６の場合についても同様に適用できる。
【０１１８】
［別の実施の形態］
上記実施の形態では、ビデスイッチ２４又は止スイッチ２６をカバー開条件に従って信号出力を行う条件型スイッチとし、その他のスイッチを無条件型スイッチとしているが、スイッチの区分はこれに限定されない。例えば、電源スイッチ３１やターボ脱臭スイッチ２９のようにカバー２１の縁部近傍に配置されたスイッチも、カバー開閉時に指等が接触する可能性があるので、この電源スイッチ３１やターボ脱臭２９を条件型スイッチとしてもよい。
【０１１９】
また、例えば、カバー２１を閉めるときに指等がおしりスイッチ２２又はマイルドスイッチ２３に当ることも考えられるので、このようなスイッチ２２，２３が押された場合にも上記と同様の制御を行うようにしてもよい。
【０１２０】
図示のリモコン前面のスイッチの配列は、一例であり、本発明はこれに限定されないことは明らかである。
【０１２１】
上記実施の形態では、止スイッチ２６及びビデスイッチ２４がカバー２１の側辺に臨んでいるが、他のスイッチがカバー側辺に臨んでいてもよいことは明らかである。
【０１２２】
また、カバー２１はリモコン２０の前面の全体を覆う大きさであってもよい。この場合、カバーの上辺に臨むスイッチについて上記スイッチ２４，２６と同様の動作キャンセル機能を付与してもよい。
【図面の簡単な説明】
【０１２３】
【図１】実施の形態に用いられるトイレ用機器及びリモコンが設置されたトイレルームの斜視図である。
【図２】（ａ）はリモコンの平面図、（ｂ）はリモコンの正面図である。
【図３】リモコンのカバーを開けた状態の正面図である。
【図４】動作例を示すフロー図である。
【図５】動作例を示すフロー図である。
【図６】動作例を示すフロー図である。
【図７】動作例を示すフロー図である。
【図８】動作例を示すフロー図である。
【図９】動作例を示すフロー図である。
【符号の説明】
【０１２４】
１  便器本体
２  便座ボックス
３  便座
４  便蓋
５  洗浄ノズル
７  スピーカ
２０  リモコン
２１  カバー
２２〜３１  スイッチ
４０  表示画面
５０〜５２  スイッチ
６０  スイッチエリア
６１  表示画面
６２〜６６  スイッチ
７０〜７３  スイッチ
７４  表示画面
８０〜８４  スイッチ
９０〜９５  スイッチ
９６  表示画面
９７  マグネット
９８  リードスイッチ
９９  送信部
【図１】
0004983651.tif 000002
【図２】
0004983651.tif 000003
【図３】
0004983651.tif 000004
【図４】
0004983651.tif 000005
【図５】
0004983651.tif 000006
【図６】
0004983651.tif 000007
【図７】
0004983651.tif 000008
【図８】
0004983651.tif 000009
【図９】
0004983651.tif 000010